(57)【要約】      （修正有）【課題】カメラが回路基板から脱落することを防止できるカメラモジュール及びこれを用いた携帯式電子装置を提供する。【解決手段】カメラモジュール１０は、回路基板１２及び回路基板１２に固定されるカメラ１４を備える。カメラ１４は、半田付け或いは表面実装技術（ＳＭＴ）を用いて回路基板１２に固定される。回路基板１２におけるカメラ１４の２つの角部の外側であってカメラ１４の近傍には、それぞれ１つの貫通溝１２２が設けられ、カメラ１４と回路基板１２との間にかかる応力を減少させる。【選択図】図１
2012044669.tif 000002
【特許請求の範囲】
【請求項１】
回路基板及び前記回路基板に固定されるカメラを備えるカメラモジュールであって、前記回路基板の前記カメラに近い箇所には、少なくとも１つの貫通溝が設けられることを特徴とするカメラモジュール。
【請求項２】
前記回路基板には補強カバーがさらに設けられ、前記補強カバー及び前記貫通溝は、前記回路基板における前記カメラの対向する両側に位置することを特徴とする請求項１に記載のカメラモジュール。
【請求項３】
請求項１又は請求項２に記載のカメラモジュールを備えることを特徴とする携帯式電子装置。
【発明の詳細な説明】
【技術分野】
【０００１】
本発明は、カメラモジュールに関し、特に携帯式電子装置に用いられるカメラモジュールに関するものである。
【背景技術】
【０００２】
近年、カメラ機能を持つ携帯電話等の携帯式電子装置は、人気を呼んでいる。このような携帯式電子装置において、カメラが半田付け或いは表面実装技術（Ｓｕｒｆａｃｅ  Ｍｏｕｎｔｅｄ  Ｔｅｃｈｎｏｌｏｇｙ，ＳＭＴ）を用いて携帯式電子装置の回路基板に固定される。しかし、携帯式電子装置が高い所から地面に落ちた場合、大きな衝撃を受けるので、その内部の回路基板は、外力により捩られて変形する応力が生じる。
【０００３】
上記の応力は、カメラと回路基板との連接部位に集中する可能性もある。もし、カメラと回路基板との連接部位にかかる応力が制限値を超えると、前記カメラと前記回路基板との間の溶接箇所が裂けて、前記カメラが前記回路基板から脱落する問題を招く。落下試験において、カメラと回路基板との間にかかる応力が大き過ぎることに起因するカメラの脱落がよく発生する。
【発明の概要】
【発明が解決しようとする課題】
【０００４】
本発明は、上記の問題点を考慮してなされたものであり、カメラが回路基板から脱落することを防止できるカメラモジュール及びこれを用いた携帯式電子装置を提供することを目的とする。
【課題を解決するための手段】
【０００５】
上記の目的を達成するために、本発明に係るカメラモジュールは、回路基板及び前記回路基板に固定されるカメラを備える。前記回路基板の前記カメラに近い箇所には、少なくとも１つの貫通溝が設けられる。
【発明の効果】
【０００６】
従来の技術と比較すると、本発明の携帯式電子装置のカメラモジュールでは、回路基板のカメラの近傍に少なくとも１つの貫通溝を設けている。前記回路基板が外力により捩れて変形する場合に生じた応力は、前記回路基板と前記カメラとの連接部位に向けて分散されるが、前記応力の一部が前記貫通溝によって遮断されるので、前記連接部位にかかる応力が小さくなり、前記カメラが前記回路基板から脱落することを効果的に防止できる。
【図面の簡単な説明】
【０００７】
【図１】本発明の第一実施形態に係るカメラモジュールの立体斜視図である。
【図２】図１に示したカメラモジュールの平面図である。
【図３】本発明の第二実施形態に係るカメラモジュールの平面図である。
【発明を実施するための形態】
【０００８】
本発明のカメラモジュールは、携帯電話及び個人用携帯情報端末（ＰＤＡ）等の携帯式電子装置に利用される。以下の実施形態では、携帯電話を例として説明する。
【０００９】
図１は、本発明の実施形態に係る携帯電話１００の内部構造の一部のみを拡大して示している。前記携帯電話１００のカメラモジュール１０は、回路基板１２及びカメラ１４を備える。前記カメラ１４は、半田付け或いは表面実装技術（ＳＭＴ）を用いて前記回路基板１２に固定される。
【００１０】
前記回路基板１２における前記カメラ１４の２つの角部の外側であって前記カメラ１４の近傍には、それぞれ１つの貫通溝１２２が設けられている。前記貫通溝１２２は、略「Ｌ」字状を呈し、且つその屈曲方向が前記角部の屈曲方向に一致する。
【００１１】
図２に示したように、前記携帯電話１００が外力を受けると、前記回路基板１２は、前記外力により捩れて変形するので応力が生じる。この時、応力は分散されて回路基板１２を伝達するが、前記貫通溝１２２が存在するため、前記応力の一部が前記貫通溝１２２によって遮断され、前記カメラ１４と前記回路基板１２との連接部位に伝達せず、前記連接部位に直接かかる応力が小さくなるので、前記カメラ１４が前記回路基板１２から脱落することを防止する。
【００１２】
また、上述したように、前記貫通溝１２２は、前記カメラ１４と前記回路基板１２との間にかかる応力を減少させる役割を果たしているので、前記貫通溝１２２の数が２つに限定されるものではなく、前記カメラ１４が前記回路基板１２から脱落することを防止できさえすれば、１つ或いは４つの貫通溝１２２を設けてもよい。
【００１３】
図３に示したように、本発明の第二実施形態において、前記貫通溝１２２の数は４つである。４つの前記貫通溝１２２は、それぞれ前記カメラ１４の４つの角部の外側に沿って設けられる。
【００１４】
また、前記回路基板１２上の貫通溝１２２の位置は、前記カメラ１４の角部の外側に限定されるものではない。前記貫通溝１２２は、前記回路基板１２と前記カメラ１４との連接部位にかかる応力を減少できる任意の位置に設けられることができる。
【００１５】
また、前記回路基板１２に貫通溝１２２を設けると、前記回路基板１２の強度が弱くなる恐れがあるので、前記回路基板１２にそれ自体の強度を確保するための補強カバー１６を設けることができる。好ましくは、前記補強カバー１６及び前記貫通溝１２２を前記カメラ１４の対向する両側に設ける（図１を参照）。前記補強カバー１６は、ブロックであることができる。
【００１６】
本発明によると、前記携帯電話１００の回路基板１２には、前記カメラ１４の近傍に少なくとも１つの貫通溝１２２が設けられる。前記回路基板１２が外力により捩れて変形する場合に生じた応力は、前記回路基板１２と前記カメラ１４との連接部位に向けて分散されるが、この応力の一部が前記貫通溝１２２によって遮断される。これにより、前記回路基板１２と前記カメラ１４との連接部位にかかる応力が小さくなり、前記カメラ１４が前記回路基板１２から脱落することを効果的に防止する。
【００１７】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００１８】
１０                  カメラモジュール
１２                  回路基板
１４                  カメラ
１６                  補強カバー
１００                携帯電話
１２２                貫通溝
【図１】
2012044669.tif 000003
【図２】
2012044669.tif 000004
【図３】
2012044669.tif 000005